(57)【要約】【課題】光源モジュールおよびそれを備えた電子機器を薄型で高品質にする。【解決手段】ＬＥＤ１０５およびＬＥＤ１０５の周囲を取り囲み、内面において光を反射するリフレクタ１８０を含む照射部２００と、ＬＥＤ１０５に対向するように位置してＬＥＤ１０５からの光が入射する入射面１３２および入射面１３２に隣接する出射面１２０を有し、入射面１３２から入射した光を内方に伝播させて出射面１２０から出射させる導光体１３１と、導光体１３１の出射面１２０と対向する主表面１２１に沿って位置する反射シート１１０とを備える。照射部２００は、導光体１３１の主表面１２１の端部に沿うように延在するリフレクタ１８０の一部からなる延在部１８２を有する。反射シート１１０の端部の一部１１１が、照射部２００の延在部１８２と導光体１３１とに狭持されている。【選択図】図１１
2012054043.tif 000002
【特許請求の範囲】
【請求項１】
光源および該光源の周囲を取り囲み、内面において光を反射するリフレクタを含む照射部と、
前記光源に対向するように位置して前記光源からの光が入射する入射面および該入射面に隣接する出射面を有し、前記入射面から入射した光を内方に伝播させて前記出射面から出射させる導光体と、
前記導光体の前記出射面と対向する主表面に沿って位置する反射シートと
を備え、
前記照射部は、前記導光体の前記主表面の端部に沿うように延在する前記リフレクタの一部からなる延在部を有し、
前記反射シートの端部の一部が、前記照射部の前記延在部と前記導光体とに狭持されている、光源モジュール。
【請求項２】
前記照射部は、前記導光体の前記出射面の端部に沿って前記リフレクタの一部を延長するように設けられた延長リフレクタを含み、
前記延長リフレクタは、前記導光体に対向する面において光を反射し、
前記導光体および前記反射シートの各々の端部の一部は、前記照射部の前記延在部と前記延長リフレクタとに狭持されている、請求項１に記載の光源モジュール。
【請求項３】
前記照射部は、前記延在部における前記導光体と対向する面に、前記導光体を前記光源に対して位置決めする係止部を有する、請求項１または２に記載の光源モジュール。
【請求項４】
請求項１から３のいずれかに記載の光源モジュールを備えた電子機器。
【発明の詳細な説明】
【技術分野】
【０００１】
本発明は、光源モジュールおよびそれを備えた電子機器に関する。
【背景技術】
【０００２】
点光源または線光源から出射された光を面状に照射される光とするために、導光体を用いた照明装置を開示した先行文献として、特許文献１，２がある。特許文献１，２に記載された照明装置においては、ブロック状の導光体の側面である入射面に対向するように光源が配置されている。入射面から入射した光は、導光体内を伝播した後、出射面から出射することにより面状に照射される。
【先行技術文献】
【特許文献】
【０００３】
【特許文献１】特開２００７−２２７０７４号公報
【特許文献２】特開２００８−３４３７２号公報
【発明の概要】
【発明が解決しようとする課題】
【０００４】
照明装置の薄型化を図るために、導光体の薄型化が促進されている。導光体が薄くなるに従って、光源から出射された光を効率よく導光体の入射面に入射させるために、光源と導光体との相対的な位置に高い位置精度が求められる。特に、導光体の厚さ方向における光源と導光体との位置の位置精度が厳しく求められる。
【０００５】
光源と導光体との相対的な位置にズレがある場合、光源から出射された光の一部が導光体に入射しないことによる光の取出し効率の低下、および、導光体の入射面の偏った位置から光が入射することによって出射面から面状に出射する光の面内均一性の低下などの問題が発生する。
【０００６】
本発明は上記の問題点に鑑みてなされたものであって、薄型で高品質の光源モジュールおよびそれを備えた電子機器を提供することを目的とする。
【課題を解決するための手段】
【０００７】
本発明に基づく光源モジュールは、光源および光源の周囲を取り囲み、内面において光を反射するリフレクタを含む照射部と、光源に対向するように位置して光源からの光が入射する入射面および入射面に隣接する出射面を有し、入射面から入射した光を内方に伝播させて出射面から出射させる導光体と、導光体の出射面と対向する主表面に沿って位置する反射シートとを備える。照射部は、導光体の主表面の端部に沿うように延在するリフレクタの一部からなる延在部を有する。反射シートの端部の一部が、照射部の延在部と導光体とに狭持されている。
【０００８】
好ましくは、照射部は、導光体の出射面の端部に沿ってリフレクタの一部を延長するように設けられた延長リフレクタを含む。延長リフレクタは、導光体に対向する面において光を反射する。導光体および反射シートの各々の端部の一部は、照射部の延在部と延長リフレクタとに狭持されている。
【０００９】
好ましくは、照射部は、延在部における導光体と対向する面に、導光体を光源に対して位置決めする係止部を有する。
【発明の効果】
【００１０】
本発明によれば、光源モジュールおよびそれを備えた電子機器を薄型で高品質にすることができる。
【図面の簡単な説明】
【００１１】
【図１】本実施形態に係る液晶表示装置の概略構成を説明する分解斜視図である。
【図２】同実施形態に係る液晶表示装置における導光板と光源群との配置を示す平面図である。
【図３】図２のＩＩＩ−ＩＩＩ線矢印方向から見た図である。
【図４】同実施形態の導光体の側面図である。
【図５】図４に示すＶ−Ｖ線矢印方向から見た図である。
【図６】図５に示す部分の主表面の平面図である。
【図７】図４に示すＶＩＩ−ＶＩＩ線矢印方向から見た図である。
【図８】図７に示す部分の主表面の平面図である。
【図９】図４に示すＩＸ−ＩＸ線矢印方向から見た図である。
【図１０】図９に示す部分の主表面の平面図である。
【図１１】同実施形態に係る液晶表示装置の照射部の構造を示す一部断面図である。
【図１２】同実施形態に係るリフレクタの構造を示す斜視図である。
【図１３】同実施形態の液晶表示装置における、導光体の厚さ方向における光源の光軸と導光体の中心との関係を示す側面図である。
【図１４】導光体の厚さ方向における光源の光軸と導光体の中心との位置ズレ量による結合効率の変化を示す図である。
【図１５】同実施形態における照射部において光源から出射された光の光路の例を示す側面図である。
【図１６】同実施形態における延長リフレクタの外観を示す斜視図である。
【図１７】同実施形態の変形例のリフレクタの構造を示す側面図である。
【図１８】同実施形態の変形例の延長リフレクタの構造を示す断面図である。
【発明を実施するための形態】
【００１２】
以下、本発明の一実施形態に係る光源モジュールおよびそれを備えた電子機器について図面を参照して説明する。以下の実施形態の説明においては、図中の同一または相当部分には同一符号を付して、その説明は繰返さない。なお、実施形態の説明において、説明の便宜上、上、下、左、右の表現を用いるが、これらの表現は示した図に基づくものであって発明の構成を限定するものではない。
【００１３】
下記の実施形態においては、電子機器として液晶表示装置について説明し、光源モジュールとして液晶表示装置のバックライトモジュールについて説明する。ただし、電子機器および光源モジュールはこれに限られず、たとえば、電子機器として室内の照明装置、光源モジュールとして、照明装置の一部である光を面上に発光する発光部などが含まれる。
【００１４】
図１は、本実施形態に係る液晶表示装置の概略構成を説明する分解斜視図である。図２は、本実施形態に係る液晶表示装置における導光板と光源群との配置を示す平面図である。図３は、図２のＩＩＩ−ＩＩＩ線矢印方向から見た図である。
【００１５】
図１に示すように、液晶表示装置１は、ベゼル１００、シャーシ１０１、反射シート１１０、導光板１３０、積層シート群１５０、液晶表示パネル１７０、光源群１０３，１０４および制御部１６０を備えている。ベゼル１００とシャーシ１０１との間には、下から順に、反射シート１１０、導光板１３０、積層シート群１５０および液晶表示パネル１７０が配置されている。また、導光板１３０の側方に光源群１０３，１０４が配置されている。光源群１０３，１０４および液晶表示パネル１７０は、制御部１６０に接続されている。
【００１６】
光源モジュールであるバックライトモジュールは、反射シート１１０と、導光板１３０と、積層シート群１５０と、光源群１０３および光源群１０４とを含む。
【００１７】
図１，２に示すように、本実施形態においては、導光板１３０は、略直方体形状を有する複数の導光体１３１から構成されている。具体的には、導光体１３１の短手方向に複数の導光体１３１が互いに間隔を置いて配置されることにより、略平板状の導光板１３０が構成されている。ただし、導光板１３０は、一つの平板状の導光体から構成されていてもよい。
【００１８】
導光板１３０の長手方向の一方の側方に、光源である複数のＬＥＤ（Light Emitting Diode）１０５が互いに間隔を置いて回路基板１０６に実装された光源群１０３が配置されている。導光板１３０の長手方向の他方の側方に、光源である複数のＬＥＤ１０７が互いに間隔を置いて回路基板１０８に実装された光源群１０４が配置されている。
【００１９】
複数の導光体１３１の各々は、ＬＥＤ１０５に対向するように位置してＬＥＤ１０５からの光が入射する入射面１３２と、ＬＥＤ１０７に対向するように位置してＬＥＤ１０７からの光が入射する入射面１３３とを有している。また、複数の導光体１３１の各々は、入射面１３２，１３３に隣接する出射面１２０を有している。
【００２０】
図３に示すように、複数の導光体１３１の各々は、出射面１２０と対向する主表面１２１を有している。また、複数の導光体１３１の各々は、出射面１２０と主表面１２１に隣接する側面１３４、および、側面１３４に対向する側面１３５を有している。主表面１２１には、後述する光拡散部が形成されている。
【００２１】
複数の導光体１３１はそれぞれ、入射面１３２，１３３から入射した光を、出射面１２０および主表面１２１の間と、側面１３４および側面１３５の間とにおいて、全反射させつつ導光体１３１の内方に伝播させて、主に出射面１２０から出射させる。
【００２２】
以下、上記の構成部品について詳細に説明する。
光源としては、ＬＥＤを採用した例に限られず、蛍光管およびその他の光源を採用することができる。
【００２３】
反射シート１１０は、たとえば、ポリエステルから形成されている。たとえば、発泡ＰＥＴ(Polyethylene Terephthalate)から形成されており、光の反射特性を有する。反射シート１１０は、導光体１３１の主表面１２１から漏れた光を反射して導光体１３１内に戻す機能を有している。
【００２４】
積層シート群１５０は、拡散シートとプリズムシートとを含む。積層シート群１５０は、導光板１３０から出射する光の輝度ムラを抑制するとともに、導光板１３０からの光を集光して液晶表示パネル１７０に向けて出射する機能を有している。
【００２５】
液晶表示パネル１７０は、アクティブマトリックス基板と、カラーフィルタと、対向基板と、アクティブマトリックス基板および対向基板の間に封入された液晶とを含む。アクティブマトリックス基板には、複数のＴＦＴ（thin film transistor）素子が形成されている。液晶表示パネル１７０は、積層シート群１５０を通過して液晶表示パネル１７０に入射する光を用いて画像を表示する。
【００２６】
制御部１６０は、表示する画像データに基づいて、液晶表示パネル１７０の各ＴＦＴ素子のＯＮ／ＯＦＦを切り替える。また、制御部１６０は、液晶表示パネル１７０に映像信号を印加し、この印加のタイミングに同期させて、複数のＬＥＤ１０５，１０７の各々を順次消灯させる。これにより、液晶表示パネル１７０において、１フレーム内に発光期間と非発光期間とを設けることができるため、画像表示と黒表示とを交互に行うことができる。
【００２７】
ベゼル１００は、液晶表示パネル１７０の表示領域を視認可能とする窓部を有している。
【００２８】
以下、本実施形態の導光体について詳細に説明する。
図４は、本実施形態の導光体の側面図である。図５は、図４のＶ−Ｖ線矢印方向から見た図である。図６は、図５に示す部分の近傍の主表面の平面図である。図７は、図４のＶＩＩ−ＶＩＩ線矢印方向から見た図である。図８は、図７に示す部分の近傍の主表面の平面図である。図９は、図４のＩＸ−ＩＸ線矢印方向から見た図である。図１０は、図９に示す部分の近傍の主表面の平面図である。
【００２９】
図３，５，７，９に示すように、導光体１３１を長手方向に垂直な断面で断面視すると、導光体１３１は、短手方向（幅方向）の中央部に形成された主部１３６と、主部１３６の両側面から張り出すように形成された張出部１３７，１３８とを含む。導光体１３１の長手方向に垂直な断面における導光体１３１の断面形状は、逆Ｔ字形状となっている。導光体１３１の出射面１２０には、複数の溝部１２４が形成されている。
【００３０】
本実施形態の導光体１３１の長さは、たとえば、１３５８．５ｍｍである。主部１３６の厚さは、たとえば、４ｍｍである。張出部１３７，１３８の厚さは、たとえば、１ｍｍである。張出部１３７，１３８の張出量は、たとえば、２ｍｍである。側面１３４側から側面１３５側に向かう方向（短手方向）の導光体１３１の幅は、たとえば、４０ｍｍ以上１００ｍｍ程度である。溝部１２４のピッチは、１．０ｍｍであり、溝部１２４の深さは０．２ｍｍ以上０．３ｍｍである。
【００３１】
図６，８，１０に示すように、主表面１２１には、複数の光拡散部１２５が互いに間隔を置いて形成されている。本実施形態においては、光拡散部１２５はドット状に形成されている。
【００３２】
光拡散部１２５のドット径は、入射面１３２側から導光体１３１の長手方向の中央部に向かうにしたがって、大きくなるように形成されている。同様に、光拡散部１２５のドット径は、入射面１３３側から導光体１３１の長手方向の中央部に向かうにしたがって、大きくなるように形成されている。また、光拡散部１２５は、導光体１３１の幅方向の中央を通過して導光体１３１の長手方向に延びる仮想軸線に対して、対称となるように配置されている。
【００３３】
複数の光拡散部１２５のうち、出射面１２０と対向する部分の光拡散部１２５のドット径は、張出部１３７，１３８と対向する部分の光拡散部１２５のドット径よりも大きくなるように形成されている。なお、１つの光拡散部１２５のドット径は、たとえば、０．３ｍｍ以上１．５ｍｍ以下である。
【００３４】
光拡散部１２５は、たとえば、光散乱微粒子をポリマー中に分散させて、その後、ポリマーを主表面１２１に印刷することにより形成されている。光散乱粒子として蛍光体を用いてもよい。また、主表面１２１に、プリズムなどの微細な凹凸形状を形成することにより、光拡散部１２５を構成してもよい。さらに、主表面１２１に、ブラスト処理を施すことにより、光拡散部１２５を構成してもよい。
【００３５】
主表面１２１に光拡散部１２５を形成することにより、導光体１３１内を伝播する光の光路を変更することができる。具体的には、導光体１３１内を伝播する光が、主表面１２１の光拡散部１２５に入射することにより、その光は拡散されて導光体１３１内を進む方向が変えられる。その結果、光拡散部１２５で拡散された光の少なくとも一部は、出射面１２０で全反射せずに、出射面１２０から外部に出射する。
【００３６】
入射面１３２および入射面１３３から導光体１３１内に入射した光は、入射面１３２および入射面１３３から離れるにつれて、拡散して輝度が減衰する。そのため、上記のように、入射面１３２および入射面１３３から離れるにつれて、光拡散部１２５のドット径を大きくして配置密度を高くすることにより、出射面１２０から出射される光の輝度にばらつきが生じることを抑制することができる。
【００３７】
以下、本実施形態の液晶表示装置１における照射部の構成について説明する。
図１１は、本実施形態に係る液晶表示装置の照射部の構造を示す一部断面図である。図１２は、本実施形態に係るリフレクタの構造を示す斜視図である。なお、図１１においては、簡単のため、積層シート群１５０などの一部の構成部品を図示していない。また、以下の説明は、一方のＬＥＤ１０５側の構成について説明するが、他方のＬＥＤ１０７側の構成についても同様である。
【００３８】
図１１，１２に示すように、本実施形態に係る液晶表示装置１においては、回路基板１０６に実装された光源であるＬＥＤ１０５の周囲を取り囲むように、リフレクタ１８０が配置されている。言い換えると、リフレクタ１８０には、ＬＥＤ１０５が内部に配置される開口部１８１が形成されている。
【００３９】
リフレクタ１８０は、開口部１８１の一方の開口端１８７の一部から、開口部１８１の深さ方向に平板状に延在する延在部１８２を有する。また、リフレクタ１８０は、ＬＥＤ１０５からの光を受ける開口部１８１の内面および延在部１８２の内面１８３において、光を反射するように形成されている。
【００４０】
本実施形態においては、光の高反射性を有するポリカーボネート樹脂を材料に用いて金型成型することによりリフレクタ１８０を作製したが、リフレクタ１８０の材料はこれに限られず、光反射性および所定の強度を有する材料であればよい。
【００４１】
図１１に示すように、ＬＥＤ１０５、回路基板１０６、リフレクタ１８０、および、後述する延長リフレクタ１９０を含む照射部２００は、シャーシ１０１上に配置されている。具体的には、リフレクタ１８０の延在部１８２がシャーシ１０１の上面に沿うように、照射部２００がシャーシ１０１上に配置されている。
【００４２】
導光体１３１の入射面１３２がＬＥＤ１０５に対向するように、導光体１３１が配置されている。具体的には、導光体１３１の主表面１２１に沿うように配置された反射シート１１０の端部の一部１１１を間に挟んで、導光体１３１の一部がリフレクタ１８０の延在部１８２上に配置されている。言い換えると、照射部２００は、導光体１３１の主表面１２１の端部に沿うように延在するリフレクタ１８０の一部からなる延在部１８２を有する。
【００４３】
導光体１３１は、図示しない連結部材によりシャーシ１０１と締結固定されている。その結果、反射シート１１０の端部の一部１１１は、照射部２００に含まれるリフレクタ１８０の延在部１８２と導光体１３１とに挟持されている。
【００４４】
照射部２００を上方から覆うように、Ｐ−シャーシ１０９が配置されている。Ｐ−シャーシ１０９を上方から覆うように、ベゼル１００が配置されている。Ｐ−シャーシ１０９とベゼル１００との間に、液晶表示パネル１７０の端部が緩衝部２１１および緩衝部２１２を介して挟持されている。ベゼル１００とシャーシ１０１とが図示しない固定部材により互いに固定されることにより、ベゼル１００とシャーシ１０１との間に位置する構成部品が挟持されている。
【００４５】
以下、本実施形態の液晶表示装置において、導光体の厚さ方向における光源と導光体との相対的な位置の位置精度が向上される理由について説明する。
【００４６】
図１３は、本実施形態の液晶表示装置における、導光体の厚さ方向における光源の光軸と導光体の中心との関係を示す側面図である。図１４は、導光体の厚さ方向における光源の光軸と導光体の中心との位置ズレ量による結合効率の変化を示す図である。図１４においては、縦軸に結合効率の相対値、横軸に導光体の厚さ方向における光源の光軸と導光体の中心との位置ズレ量を示している。
【００４７】
図１４に示すように、導光体の厚さ方向における光源の光軸と導光体の中心との位置ズレ量が０のときの結合効率を１とした場合、位置ズレ量の絶対値が大きくなるに従って、結合効率が低下している。すなわち、導光体の厚さ方向において、導光体の中心位置が、光源の光軸位置より上方にずれた場合および光源の光軸位置より下方にずれた場合の両方で、位置ズレ量が大きくなるに従って結合効率が低下している。
【００４８】
よって、導光体１３１の光の取出し効率を向上するためには、導光体１３１の厚さ方向において、ＬＥＤ１０５の光軸２３０と導光体１３１の中心２２０との位置が一致することが好ましい。
【００４９】
図１３に示すように、リフレクタ１８０の外側面のうち延在部１８２が位置する外側面１８５からＬＥＤ１０５の光軸２３０までの距離をＬ0とする。導光体１３１の厚さ方向において、外側面１８５から導光体１３１の中心２２０までの距離は、延在部１８２の厚さＬ1と、反射シート１１０の厚さＬ2と、導光体１３１の厚さの半分であるＬ3との和となる。
【００５０】
このように、本実施形態の液晶表示装置においては、リフレクタ１８０の外側面１８５を基準にして、導光体１３１の厚さ方向における光軸２３０と導光体１３１の中心２２０との相対的な位置関係が決まる。そのため、従来の液晶表示装置に比較して、導光体１３１の厚さ方向における光軸２３０と導光体１３１の中心２２０との位置関係に影響を及ぼす構成部品の数が削減されている。
【００５１】
具体的には、本実施形態の液晶表示装置においては、導光体１３１の厚さ方向における光軸２３０と導光体１３１の中心２２０との位置関係は、距離Ｌ0と厚さＬ1と厚さＬ2と厚さＬ3との精度の影響を受けるのみである。
【００５２】
従来の液晶表示装置においては、リフレクタ１８０に延在部１８２が設けられておらず、反射シート１１０の端部の一部が延在部１８２と導光体１３１とに挟持される構成ではない。そのため、導光体１３１の厚さ方向における光軸２３０と導光体１３１の中心との位置の位置精度は、たとえば、シャーシ１０１を基準にして、光源と導光体とをそれぞれ別々に組み付けている複数の構成部品の影響を受ける。
【００５３】
よって、本実施形態の液晶表示装置においては、上記の構成により、導光体１３１の厚さ方向における光軸２３０と導光体１３１の中心２２０との位置の位置精度を向上することができる。
【００５４】
その結果、導光体１３１の厚さ方向において、光源の光軸２３０と導光体１３１の中心との相対的な位置ズレを低減して、導光体１３１の光の取出し効率を向上することができる。また、導光体１３１の入射面１３２の中心位置から入射する光が増えることによって、出射面１２０から面状に出射する光の面内均一性が向上する。
【００５５】
図１５は、本実施形態における照射部において光源から出射された光の光路の例を示す側面図である。図１６は、本実施形態における延長リフレクタの外観を示す斜視図である。
【００５６】
図１１，１４，１５に示すように、照射部２００は、導光体１３１の出射面１２０の端部に沿ってリフレクタ１８０の一部を延長するように設けられた延長リフレクタ１９０を含む。具体的には、延長リフレクタ１９０は、リフレクタ１８０の外側面１８５と反対側の外側面１８６に一部が接し、導光体１３１の出射面１２０に他の一部が接している。延長リフレクタ１９０は、導光体１３１に対向する面１９１において光を反射するように形成されている。
【００５７】
本実施形態においては、光の高反射性を有するポリカーボネート樹脂を材料に用いて金型成型することにより延長リフレクタ１９０を作製したが、延長リフレクタ１９０の材料はこれに限られず、光反射性および所定の強度を有する材料であればよい。
【００５８】
本実施形態においては、上述したように、ベゼル１００とシャーシ１０１とが図示しない固定部材により互いに固定されることにより、ベゼル１００とシャーシ１０１との間に位置する構成部品が挟持されている。その結果、導光体１３１の端部の一部および反射シート１１０の端部の一部１１１は、照射部２００のリフレクタ１８０の延在部１８２と延長リフレクタ１９０とに挟持されている。
【００５９】
上記の構成にすることにより、図１５に示すように、リフレクタ１８０の開口端１８７と導光体１３１の入射面１３２との間の位置において、上方を延長リフレクタ１９０により、下方をリフレクタ１８０の延在部１８２により、隙間なく覆うことができる。
【００６０】
その結果、図１５に示すように、ＬＥＤ１０５から斜め上方に出射されて延長リフレクタ１９０の面１９１に到達した光は、反射されて導光体１３１の入射面１３２から導光体１３１内に入射される。また、ＬＥＤ１０５から斜め下方に出射されてリフレクタ１８０の延在部１８２の内面１８３に到達した光は、反射されて導光体１３１の入射面１３２から導光体１３１内に入射される。
【００６１】
このように、リフレクタ１８０の延在部１８２と延長リフレクタ１９０とを設けることにより、ＬＥＤ１０５から出射された光のうち、リフレクタ１８０の開口端１８７と導光体１３１の入射面１３２との間において導光体１３１に入射せずに外部に漏れる光を低減することができる。
【００６２】
また、導光体１３１および反射シート１１０の各々の端部の一部が、リフレクタ１８０の延在部１８２と延長リフレクタ１９０との間に挟まれているため、図１３に示す関係が成立し、導光体１３１の厚さ方向における光軸２３０と導光体１３１の中心２２０との位置の位置精度を向上することができる。
【００６３】
図１７は、本実施形態の変形例のリフレクタの構造を示す側面図である。図１７に示すように、変形例のリフレクタ１８０Ａは、延在部１８２の導光体１３１と対向する内面１８３の一部に段部１８４を有している。導光体１３１は、導光体１３１の入射面の一部である１３２Ａを段部１８４に突き当てるように固定されている。言い換えると、段部１８４は、導光体１３１をＬＥＤ１０５に対して位置決めする係止部として機能する。
【００６４】
上記の構成により、図１７に示すように、導光体１３１の長手方向において、ＬＥＤ１０５と導光体１３１の入射面１３２との間の距離がＬ4になるように、導光体１３１をＬＥＤ１０５に対して高精度に位置決めすることができる。
【００６５】
本変形例においては、係止部としてリフレクタ１８０Ａに段部１８４を設けたが、段部１８４の代わりに、リフレクタ１８０Ａの延在部１８２の内面１８３からピン状に突出した突出部を設けもよい。その場合、導光体１３１にその突出部に対応した孔部を設け、導光体１３１の孔部とリフレクタ１８０Ａの突出部とを嵌合させることにより、導光体１３１の位置決めを行なうことができる。
【００６６】
図１８は、本実施形態の変形例の延長リフレクタの構造を示す断面図である。なお、図１８は、導光体１３１の長手方向に直交する方向において、延長リフレクタを断面視した状態を示す図である。
【００６７】
図１８に示すように、変形例の延長リフレクタ１９０Ａは、隣接して配置されている導光体１３１Ａおよび導光体１３１Ｂとの間の隙間の一部を埋めるように突出した突出部１９２を有している。突出部１９２は、導光体１３１Ａおよび導光体１３１Ｂが所定の位置にある状態において、突出部１９２の側面１９３Ａと導光体１３１Ａの側面との隙間がα、突出部１９２の側面１９３Ｂと導光体１３１Ｂの側面との隙間がβとなるように形成されている。
【００６８】
上記の構成により、隣接する導光体１３１同士の中心間距離がＬ5が２（α＋β）以上変化することを防止することができる。そのため、導光体１３１の短手方向における、導光体１３１の位置精度を向上することができる。その結果、導光体１３１の短手方向において、導光体１３１をＬＥＤ１０５に対して高精度に位置決めすることができる。
【００６９】
上記の変形例によっても、導光体１３１の入射面１３２とＬＥＤ１０５の光軸との位置の位置精度を向上することができるため、導光体１３１の光の取出し効率、および、導光体１３１から出射する光の面内均一性を改善することができる。その結果、光源モジュールおよびそれを備えた電子機器を薄型で高品質にすることができる。
【００７０】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００７１】
１  液晶表示装置、１００  ベゼル、１０１  シャーシ、１０３，１０４  光源群、１０５，１０７  ＬＥＤ、１０６，１０８  回路基板、１０９  Ｐ−シャーシ、１１０  反射シート、１１１  反射シートの端部の一部、１２０  出射面、１２１  主表面、１２４  溝部、１２５  光拡散部、１３０  導光板、１３１，１３１Ａ，１３１Ｂ  導光体、１３２，１３３  入射面、１３４，１３５，１９３Ａ，１９３Ｂ  側面、１３６  主部、１３７，１３８  張出部、１５０  積層シート群、１６０  制御部、１７０  液晶表示パネル、１８０，１８０Ａ  リフレクタ、１８１  開口部、１８２  延在部、１８３  内面、１８４  段部、１８５，１８６  外側面、１８７  開口端、１９０，１９０Ａ  延長リフレクタ、１９１  面、１９２  突出部、２００  照射部、２１１，２１２  緩衝部、２２０  中心、２３０  光軸。
【図１】
2012054043.tif 000003
【図２】
2012054043.tif 000004
【図３】
2012054043.tif 000005
【図４】
2012054043.tif 000006
【図５】
2012054043.tif 000007
【図６】
2012054043.tif 000008
【図７】
2012054043.tif 000009
【図８】
2012054043.tif 000010
【図９】
2012054043.tif 000011
【図１０】
2012054043.tif 000012
【図１１】
2012054043.tif 000013
【図１２】
2012054043.tif 000014
【図１３】
2012054043.tif 000015
【図１４】
2012054043.tif 000016
【図１５】
2012054043.tif 000017
【図１６】
2012054043.tif 000018
【図１７】
2012054043.tif 000019
【図１８】
2012054043.tif 000020